(57)【要約】【課題】火花点火式内燃機関（１）または火花点火モードにおいて運転される二系統燃料式内燃機関（１）を運転するための方法。【解決手段】運転される内燃機関（１）には、オイル回路（３）を通じて潤滑油が供給され、潤滑のために前記オイル回路（３）内においてその時点で使用されている前記潤滑油の、全塩基価の測定値および／または酸価の測定値が検出され、全塩基価の確立した測定値に応じて、および／または酸価の確立した測定値に応じて、オイル回路（３）に関するオイル交換量が決定され、オイル交換量に相当した程度の、その時点で使用されている潤滑油が、オイル回路（３）から除去され、オイル交換量に相当した程度の新しい潤滑油が、オイル回路（３）に適用される。【選択図】図１
2020183760.tif 000002
【特許請求の範囲】
【請求項１】
火花点火式内燃機関（１）または火花点火モードにおいて運転される二系統燃料式内燃機関（１）を運転するための方法であって、
運転される前記内燃機関（１）には、オイル回路（３）を通じて潤滑油が供給され、
潤滑のために前記オイル回路（３）内においてその時点で使用されている前記潤滑油の、全塩基価の測定値および／または酸価の測定値が検出され、
全塩基価の決定した測定値に応じて、および／または酸価の決定した測定値に応じて、前記オイル回路（３）に関するオイル交換量が決定され、
該オイル交換量に相当した程度の、その時点で使用されている潤滑油が、前記オイル回路（３）から除去され、
前記オイル交換量に相当した程度の新しい潤滑油が、前記オイル回路（３）に適用される、方法。
【請求項２】
潤滑のために前記オイル回路（３）内においてその時点で使用されている前記潤滑油の、全塩基価の前記測定値および酸価の前記測定値が検出され、
決定した全塩基価の前記測定値に応じて、および決定した酸価の前記測定値に応じて、前記オイル回路（３）に関する前記オイル交換量が決定される、請求項１に記載の方法。
【請求項３】
潤滑のために前記オイル回路（３）内においてその時点で使用されている前記潤滑油の全塩基価の前記測定値は、第１センサ（６）の補助と共に検出される、請求項１または２に記載の方法。
【請求項４】
潤滑のために前記オイル回路（３）内においてその時点で使用されている前記潤滑油の酸価の前記測定値は、第２センサ（７）の補助と共に検出される、請求項１から３のいずれか一項に記載の方法。
【請求項５】
前記オイル回路（３）に関する前記オイル交換量は、特性マップまたは特性曲線の関数としての全塩基価の決定した前記測定値に応じて、および／または酸価の決定した前記測定値に応じて決定される、請求項１から４のいずれか一項に記載の方法。
【請求項６】
火花点火式内燃機関（１）または火花点火運転モードにおいて運転される二系統燃料式内燃機関（１）を運転するための制御ユニット（１２）であって、
該制御ユニット（１２）は、前記内燃機関を潤滑するためにその時点で使用されている潤滑油の、全塩基価の測定値をセンサ（６）から受信し、および／または酸価の測定値をセンサ（７）から受信し、
前記制御ユニット（１２）は、全塩基価の前記測定値に応じて、および／または酸価の前記測定値に応じて、オイル交換量を決定し、
前記制御ユニット（１２）は、その時点で使用されている潤滑油が、除去可能な決定された前記オイル交換量に相当した程度まで、オイル回路から除去可能であるとの関数として、制御信号を発信し、
前記制御ユニット（１２）は、決定された前記オイル交換量に相当した程度の新しい潤滑油が、前記オイル回路に供給可能であるとの関数として、制御信号を送信する、制御ユニット（１２）。
【請求項７】
前記制御ユニットは、請求項１から５のいずれか一項に記載の、制御側の方法を実行するように備わっている、請求項６に記載の制御ユニット。
【発明の詳細な説明】
【技術分野】
【０００１】
本発明は、火花点火式内燃機関、または火花点火モードにおいて運転される二系統燃料式内燃機関を運転するための方法に関する。本発明はさらに、火花点火式内燃機関、または火花点火モードにおいて運転される二系統燃料式内燃機関を運転するための制御ユニットに関する。
【０００２】
本発明は、ここでは特にいわゆる大型機関または大型内燃機関の分野に関し、それらのシリンダは１４０ｍｍよりも大きい、特に１７５ｍｍよりも大きい直径のピストンを備えている。そのような大型内燃機関は、例えば船舶用機関である。
【背景技術】
【０００３】
内燃機関は、運転の間、潤滑油を用いて潤滑されなければならない。過程において、潤滑油には、運転に関与した経年劣化が生じる。潤滑油の経年劣化は、潤滑油が潤滑効果を損ね、内燃機関の損傷が生じる結果となり得る。このことは、回避されなければならない。
【０００４】
いわゆる大型機関の分野において、潤滑油の一部がシリンダの燃焼チャンバ内に進入し、燃焼される燃料と共に燃焼されることは、よくあることである。この運転に関する潤滑油の消費は補償され、潤滑油回路には、特に過大な潤滑油がシリンダの領域内で燃焼された場合に、常時新しい潤滑油が供給される。
【０００５】
シリンダの領域内での潤滑油の消費または燃焼、およびこのオイル消費を埋め合わせるための新しい潤滑油の補充を通じて、潤滑油の正確な潤滑効果は、大部分の従来の大型内燃機関内で維持され、これにより内燃機関の完全なオイル交換を実施する必要がない。このことは、大きな出費を含んでいる。
【０００６】
しかしながら、シリンダの領域内での潤滑油の燃焼は、大量の排ガスの放出に帰結する。ますます厳しい排出ガス規制により、シリンダの領域内で潤滑油が燃焼することを避けなければならない。この場合、従来の大型内燃機関において実行されている、燃焼した潤滑油の補充が減少する。したがって、内燃機関において、排ガスの放出を改善するために、可能な限り少量の潤滑油がシリンダ内で燃焼され、特に潤滑油の経年劣化が過度に進行した場合に、完全なオイル交換を実行することが必要とされる。このことは高価なものである。
【０００７】
したがって、シリンダの領域において、潤滑油がわずかな程度しか燃焼しないような、そのようなより新しいタイプの内燃機関においては、完全なオイル交換をすることなく、実施されることが可能である必要がある。
【発明の概要】
【発明が解決しようとする課題】
【０００８】
このことを始点として、本発明は、火花点火式内燃機関または火花点火運転モードにおいて運転される二系統燃料式内燃機関を運転するための、新しいタイプの方法および制御ユニットを創造する目的に基づいている。
【課題を解決するための手段】
【０００９】
この目的は、請求項１による、火花点火式内燃機関または火花点火運転モードにおいて運転される二系統燃料式内燃機関を運転するための方法を通じて解決される。
【００１０】
本発明によれば、潤滑のためにオイル回路内でその時点で使用されている潤滑油の全塩基価の測定値、または酸価の測定値が検出される。全塩基価の測定値に応じて、および／または酸価の測定値に応じて、オイル回路に関するオイル交換量が決定される。その時点で使用されている潤滑油は、決定されたオイル交換量の範囲でオイル回路から除去される。さらに、新しい潤滑油が、決定されたオイル交換量に相当した程度だけオイル回路に供給される。本発明により、測定により使用された潤滑油の全塩基価（ＴＢＮ）および／または酸価を検出することが、最初に提案されている。個々の検出された測定値に応じて、内燃機関のためのオイル交換量が決定される。次いで、オイル交換量の範囲で、潤滑油がオイル回路から具体的に除去され、新しい潤滑油が、潤滑油回路に同程度供給される。これにより、潤滑油消費は、排ガス放出の影響を受けることなく再生されることが可能である。オイル回路から除去された潤滑油は、収集タンクに収集され、続いて廃棄されるか、またはさらに使用されることが可能である。したがって、完全なオイル交換は、その設計により潤滑油がシリンダの領域内で燃焼される内燃機関でさえも、排除されることが可能である。
【００１１】
本発明のさらなる展開によれば、潤滑のためにオイル回路内でその時点で使用されている潤滑油の、全塩基価の測定値および酸価の測定値が検出され、全塩基価の決定した測定値に応じて、および酸価の決定した測定値に応じて、オイル回路に関するオイル交換量が決定される。潤滑油の両方の測定値に応じて、すなわち潤滑油の全塩基価および酸価の両方に応じて、オイル交換量を確立することは、火花点火式内燃機関または火花点火モードにおいて運転される二系統燃料式内燃機関に関するオイル交換量を有利に決定するために、特に好適である。
【００１２】
本発明のさらなる展開によれば、オイル回路に関するオイル交換量は、特性線図の関数としてまたは特性曲線の関数として、決定した全塩基価の測定値に応じておよび／または決定した酸価の測定値に応じて決定される。特性線図または特性曲線の関数としてオイル交換量を決定することは、特に容易に実施されることが可能である。全塩基価および／または酸価の測定値の異なった支持点に関して、オイル交換量は記憶されることが可能であり、必要であれば、個別の測定値の間の内挿が実施されることが可能である。
【００１３】
火花点火式内燃機関または火花点火運転モードにおいて二系統燃料内燃機関を運転するための制御ユニットが、請求項６において規定されている。
【００１４】
本発明の好適なさらなる展開は、従属請求項および以下の記載から得られる。本発明の例示的な実施形態は、これに限定されることなく、図を用いてより詳細に説明されている。
【図面の簡単な説明】
【００１５】
【図１】内燃機関を示した線図である。  本発明は、火花点火式内燃機関、または火花点火モードにおいて運転される二系統燃料式内燃機関を運転するための方法および制御ユニットに関する。
【発明を実施するための形態】
【００１６】
図１は、複数のシリンダ２およびオイル回路３を備えた内燃機関１を大幅に概略化した線図を示している。オイル回路３は、内燃機関１の特にシリンダ２に潤滑油を供給することに寄与しており、潤滑油は、内燃機関１のシリンダ２に行き側４を通じて供給され、戻り側５を通じてシリンダ２から排出される。
【００１７】
ここで本発明によれば、潤滑のためのオイル回路３内においてその時点で使用されている潤滑油の全塩基価（ＴＢＮ）の測定値および／または酸価の測定値を検出することが、提案されている。潤滑のためのオイル回路３内においてその時点で使用されている潤滑油の全塩基価の測定値は、第１センサ６の補助と共に検出される。潤滑のためのオイル回路３内においてその時点で使用されている潤滑油の酸価の測定値は、第２センサ７の補助と共に検出される。
【００１８】
オイル回路内のセンサ６および７の配列は、不定である。２つのセンサ６および７は、ユニット内に組み合わされることも可能である。
【００１９】
全塩基価の決定した測定値によりおよび／または酸価の決定した測定値により、オイル回路３に関するオイル交換量が決定される。この目的のために、２つのセンサ６、７は、それぞれの測定値を制御ユニット１２に送信し、制御ユニットは、全塩基価の測定値に応じておよび／または酸価の測定値に応じて、オイル回路３に関するオイル交換量を決定する。
【００２０】
本発明によれば、その時点で使用されている潤滑油は、オイル回路３から決定されたオイル交換量に相当した範囲で排除され、さらに決定されたオイル交換量に相当した程度の新しい潤滑油が、オイル回路３へと供給される。制御ユニット１２は、このオイル交換が実行される関数としての制御変数を決定する。
【００２１】
したがって、図１は第１バルブ８を示しており、このバルブは、さらなる制御ユニットの中間接続の影響を受ける制御ユニット１２により直接的に、または間接的に制御されることが可能であり、それは、潤滑油をオイル回路３から決定された交換量に相当した程度だけ除去して、除去されたオイルを収集タンク１０に収集するためである。さらに、図１はさらなるバルブ９を示しており、このバルブは、オイル回路３に、貯蔵タンク１１内に既に維持された新しい潤滑油を供給するために、制御ユニット１２から同様に制御されることが可能である。
【００２２】
本発明により、潤滑油のためのオイル回路３内においてその時点で使用されている潤滑油の全塩基価の測定値に応じておよび／または酸価の測定値に応じて、決定されたオイル量をオイル回路３から除去すること、ならびにこのオイルを、すなわち個々の測定値の関数として確立したオイル交換量に相当した程度の新しい潤滑油に交換すること、が適宜に提案されている。
【００２３】
このように、オイル消費は、シリンダ２の領域内で再生されることが可能である。新しいオイルの決定されたオイル交換量は、潤滑油の潤滑油特性を維持するために、および内燃機関１の完全なオイル交換を不要にするために、連続的に供給されることが可能である。
【００２４】
全塩基価の決定した測定値に応じた、および／または酸価の決定した測定値に応じた、オイル回路に関するオイル交換量の決定は、特性線図または特性曲線に優先的に応じて行われる。特性マップまたは特性曲線は、制御ユニット１２内に記憶されている。測定値の種々の支持点に関して、オイル交換量が記憶されている。内挿法または外挿法は、個別の支持点の間において実施されることが可能である。
【００２５】
この方法は、火花点火式内燃機関または火花点火運転モードにおいて運転される二系統燃料式内燃機関に採用されている。特に、オイル交換量は２つの測定値、すなわち潤滑油の全塩基価および酸価の両方に応じた測定値に応じて決定されている。この手段は、火花点火式内燃機関または火花点火運転モードにおいて運転される二系統燃料式内燃機関に関して、特に好適である。
【００２６】
本発明はさらに、方法を実行するための制御ユニット１２に関する。制御ユニットは、前述の方法を実行するために、制御側に備わっている。この目的のために、制御ユニット１２はデータインターフェイスを備え、これは、本発明による方法を実行することに従事するアセンブリと、特にセンサ６および７ならびにバルブ８および９とデータを交換するためである。さらに、ハードウェア側のアセンブリとしての制御ユニット１２は、データ処理のためのプロセッサおよびデータ記憶のためのメモリを備えている。さらに、制御ユニット１２は、本発明による方法を実行することに寄与するプログラムモジュールであるソフトウェア側の手段を備えている。
【００２７】
制御ユニット１２は、個々のセンサ６、７から個々の測定値、優先的にセンサ６から全塩基価の測定値およびセンサ７から酸価の測定値を受信する。個々の測定値に応じて、制御ユニット１２はオイル交換量を決定する。オイル交換量に応じて、制御ユニット１２は、適宜にその時点で使用されている潤滑油がオイル回路３から除去され、新しい潤滑油がオイル回路２に供給されることに応じて、オイル交換が発生することに応じた制御信号を発信する。
【００２８】
本発明は、特にいわゆる大型機関または大型内燃機関の分野に関し、それらのシリンダは１４０ｍｍよりも大きい、特に１７５ｍｍよりも大きい直径のピストンを備えている。そのような大型内燃機関は、例えば船舶用機関である。本発明においては、これらは火花点火式内燃機関、または火花点火モードにおいて運転される二系統燃料式内燃機関として実施されている。燃料として、そのような内燃機関は、天然ガスのような気体燃料またはメタノールのような液体燃料を燃焼させる。気体燃料を燃焼させる内燃機関は、ガスエンジンとしても参照される。
【符号の説明】
【００２９】
１  ・・・内燃機関
２  ・・・シリンダ
３  ・・・オイル回路
４  ・・・行き側
５  ・・・戻り側
６  ・・・センサ
７  ・・・センサ
８  ・・・バルブ
９  ・・・バルブ
１０  ・・・収集タンク
１１  ・・・貯蔵タンク
１２  ・・・制御ユニット
【図１】
2020183760.tif 000003
【外国語明細書】
2020183760000001.pdf